(57)【要約】【課題】本発明は、多種類の清掃用回転体を使用できるようにするとともに、清掃用回転体の交換作業を容易に行えるようにすることを目的とする。【解決手段】本発明の清掃装置１０は、外部に突出した直線状の回転中心軸４５を備える複数種類の清掃用回転体４０と、清掃用回転体４０の回転中心軸４５を把持するチャック２７を備えており、チャック２７に把持された清掃用回転体４０を動力により回転中心軸４５の軸心回りに回転させられるように構成された回転装置本体部２０とを有する。【選択図】図１
2014050562.tif 000002
【特許請求の範囲】
【請求項１】
外部に突出した直線状の回転中心軸を備える複数種類の清掃用回転体と、
前記清掃用回転体の回転中心軸を把持するチャックを備えており、前記チャックに把持された前記清掃用回転体を動力により前記回転中心軸の軸心回りに回転させられるように構成された回転装置本体部と、
を有することを特徴とする清掃装置。
【請求項２】
請求項１に記載された清掃装置であって、
前記チャックは、複数個の爪で前記清掃用回転体の回転中心軸を半径方向外側から把持できるように構成されていることを特徴とする清掃装置。
【請求項３】
請求項２に記載された清掃装置であって、
前記チャックの爪は、錆び難い材料で製作されており、あるいは錆び難い材料によりコーティングされていることを特徴とする清掃装置。
【発明の詳細な説明】
【技術分野】
【０００１】
本発明は、清掃用回転体を回転させて、例えば、車の表面や床等を清掃する清掃装置に関する。
【背景技術】
【０００２】
これに関連する従来の清掃装置が特許文献１に記載されている。
特許文献１に記載の清掃装置は床面の洗浄に使用されるポリッシャーであり、図６に示すように、ポリッシャー本体１０１と、円盤状の掃除体１０５とから構成されている。ポリッシャー本体１０１には、中央に筒状のハウジング１０２が設けられており、そのハウジング１０２内にモータ１０３が下向きに収納されている。そして、モータ１０３の出力軸１０３ｐの先端に駆動側カップリング部材１０４が取付けられており、その駆動側カップリング部材１０４の外周面に爪片１０４ｔが等間隔で形成されている。
円盤状の掃除体１０５には、中央位置にポリッシャー本体１０１の駆動側カップリング部材１０４が嵌合可能に構成された従動側カップリング部材１０６が設けられている。
これにより、ポリッシャー本体１０１の駆動側カップリング部材１０４と円盤状の掃除体１０５の従動側カップリング部材１０６とを嵌合させた状態で、モータ１０３の駆動力により掃除体１０５を回転させて床面の洗浄を行えるようになる。
【先行技術文献】
【特許文献】
【０００３】
【特許文献１】特開２００３−０５２５９８号公報
【発明の概要】
【発明が解決しようとする課題】
【０００４】
上記したポリッシャーによると、ポリッシャー本体１０１の駆動側カップリング部材１０４と掃除体１０５の従動側カップリング部材１０６とを嵌合させて、掃除体１０５をポリッシャー本体１０１に取付ける構成である。このため、複数種類の掃除体１０５をポリッシャー本体１０１に取付けられるようにするためには、複数種類の掃除体１０５の全てにポリッシャー本体１０１の駆動側カップリング部材１０４と嵌合可能な従動側カップリング部材１０６を設ける必要がある。このため、市販の一般的な掃除体１０５を使用することはできず、使用可能な掃除体１０５の種類が限られるという問題がある。
さらに、掃除体１０５の交換にも手間が掛かる。
【０００５】
本発明は、上記問題点を解決するためになされたものであり、本発明が解決しようとする課題は、多種類の清掃用回転体を使用できるようにするとともに、清掃用回転体の交換作業を容易に行えるようにすることである。
【課題を解決するための手段】
【０００６】
上記した課題は、各請求項の発明によって解決される。
請求項１の清掃装置は、外部に突出した直線状の回転中心軸を備える複数種類の清掃用回転体と、前記清掃用回転体の回転中心軸を把持するチャックを備えており、前記チャックに把持された前記清掃用回転体を動力により前記回転中心軸の軸心回りに回転させられるように構成された回転装置本体部とを有することを特徴とする。
ここで、前記チャックとは回転中心軸を把持可能なものをいい、複数の爪を半径方向に移動させて回転中心軸を把持するもののみならず、回転中心軸を取付け孔に挿入した状態で、その回転中心軸を半径方向外側からボルト等の先端で押えるようなものも含むものとする。
【０００７】
本発明によると、清掃用回転体の回転中心軸をチャックで把持することにより、清掃用回転体を回転装置本体部に連結することができる。このため、回転中心軸の外径寸法等が異なる清掃用回転体であっても回転装置本体部に連結できるようになり、多種類の清掃用回転体が使用可能となる。
さらに、チャックを使用して回転装置本体部に清掃用回転体を連結できるため、清掃用回転体の交換作業が容易になる。
【０００８】
請求項２の発明によると、チャックは、複数個の爪で清掃用回転体の回転中心軸を半径方向外側から把持できるように構成されていることを特徴とする。
このため、清掃用回転体の回転中心軸の径寸法、のみならず断面形状が異なっていても前記回転中心軸を良好に把持できるようになる。
【０００９】
請求項３の発明によると、チャックの爪は、錆び難い材料で製作されており、あるいは錆び難い材料によりコーティングされていることを特徴とする。
このため、水が掛かるような雰囲気であってもチャックの経時的な作動不良が発生し難くなる。
【発明の効果】
【００１０】
本発明によると、多種類の清掃用回転体が使用できるようになる。また、清掃用回転体の交換作業も容易になる。
【図面の簡単な説明】
【００１１】
【図１】本発明の実施形態１に係る清掃装置を表す分解側面図である。
【図２】前記清掃装置の回転装置本体部におけるチャックの構造を表す模式破断側面図である。
【図３】前記回転装置本体部のチャックの正面図である。
【図４】前記清掃装置の清掃用回転体の斜視図（Ａ図）、及び清掃用回転体の回転中心軸の横断面図（Ｂ図）（Ｃ図）である。
【図５】前記回転装置本体部のチャックの変更例を表す縦断面図である。
【図６】従来の清掃装置（ポリッシャー）の縦断面図である。
【発明を実施するための形態】
【００１２】
［実施形態１］
以下、図１から図５に基づいて、本発明の実施形態１に係る清掃装置１０の説明を行う。
ここで、図中の前後左右、及び上下は、本実施形態に係る清掃装置１０の前後左右、及び上下に対応している。
【００１３】
＜清掃装置１０の全体構成について＞
清掃装置１０は、例えば、洗車、及び車のワックス掛け等が可能な装置であり、回転装置本体部２０と清掃用回転体４０とを備えている。
回転装置本体部２０は、清掃用回転体４０を回転させる装置であり、電動ドライバとして使用可能な電動工具が使用されている。回転装置本体部２０は、図１に示すように、筒状のハウジング本体部２２と、そのハウジング本体部２２の下端面から下方向に突出するグリップ部２４とから側面略Ｔ字形に形成されている。
前記ハウジング本体部２２には、回転装置本体部２０の駆動源であるモータ、歯車機構（図示省略）等がハウジング本体部２２とほぼ同軸になるように収納されている。そして、ハウジング本体部２２の前端部から出力軸２６（図２参照）が軸方向に突出しており、その出力軸２６の先端部に清掃用回転体４０を連結するためのチャック２７が設けられている。
【００１４】
回転装置本体部２０のグリップ部２４は、図１に示すように、グリップ本体２４ｍと、そのグリップ本体２４ｍの下側に設けられたバッテリ装着部２４ｂとから構成されている。そして、グリップ部２４のグリップ本体２４ｍとハウジング本体部２２との境界位置前側にトリガ形式の変速スイッチ２５が設けられている。また、グリップ部２４のバッテリ装着部２４ｂは、バッテリパック３０が軸方向から挿入されることで、そのバッテリパック３０が連結可能なように構成されている。
バッテリパック３０は、回転装置本体部２０の電源であり、その回転装置本体部２０のバッテリ装着部２４ｂに挿入される挿入部（図示省略）と、そのバッテリ装着部２４ｂの開口を塞ぐ装飾蓋部３４と、バッテリ装着部２４ｂに連結される連結部（図示省略）及び連結解除操作部３６とから構成されている。
【００１５】
＜回転装置本体部２０のチャック２７について＞
回転装置本体部２０のチャック２７は、図２、図３に示すように、チャックボディ２７１と、チャックボディ２７１の三個の傾斜穴２７１ｈにそれぞれ挿入されている三本の爪２７３と、チャックボディ２７１に対して三本の爪２７３を傾斜穴２７１ｈに沿って進退させる締付けリング２７５とから構成されている。
チャックボディ２７１の中央には、図２に示すように、先端側（前側）から順番に先端貫通孔２７１ｆ、ボルト孔２７１ｂ、雌ネジ孔２７１ｗが同軸に形成されており、前記雌ネジ孔２７１ｗに出力軸２６の先端雄ネジがネジ嵌合されている。そして、前記ボルト孔２７１ｂに通された連結ボルト２７ｂによって、チャックボディ２７１が出力軸２６に連結されている。チャックボディ２７１には、そのチャックボディ２７１の外周面から先端貫通孔２７１ｆに抜ける三本の傾斜穴２７１ｈが円周方向に等間隔で形成されている。そして、それらの傾斜穴２７１ｈにそれぞれ棒状の爪２７３が挿通されている。
【００１６】
三本の爪２７３の外周面にはそれぞれ雄ネジ２７３ｍが形成されており、それらの雄ネジ２７３ｍに締付けリング２７５のナット部２７６の雌ネジ２７６ｅが螺合されるようになっている。
締付けリング２７５は、チャックボディ２７１に対して相対回転可能な状態で、そのチャックボディ２７１の周囲に装着されている。そして、締付けリング２７５の先端開口部２７５ｈからチャックボディ２７１の先端部と爪２７３の先端部とが突出するようになっている。また、締付けリング２７５の先端部内側には、三本の爪２７３の雄ネジ２７３ｍと螺合するナット部２７６が締付けリング２７５と同軸に固定されている。
【００１７】
上記構成により、チャックボディ２７１に対して締付けリング２７５を回転させることで、ナット部２７６の雌ネジ２７６ｅと爪２７３の雄ネジ２７３ｍとの螺合作用で三本の爪２７３がチャックボディ２７１の傾斜穴２７１ｈに沿って進退するようになる。
即ち、締付けリング２７５を締付け操作して三本の爪２７３をチャックボディ２７１の傾斜穴２７１ｈに沿って前進させることで、それらの爪２７３の間隔が狭まり（図３参照）、清掃用回転体４０の回転中心軸４５を把持できるようになる。また、締付けリング２７５を緩めて、三本の爪２７３をチャックボディ２７１の傾斜穴２７１ｈに沿って後退させることで、それらの爪２７３の間隔が広がり、清掃用回転体４０の回転中心軸４５を外せるようになる。
ここで、前記爪２７３は、錆び難い材料、例えば、ステンレス等で製作するのが好ましい。また、鉄製の爪２７３をメッキコーティングすることも可能である。
【００１８】
＜清掃用回転体４０について＞
清掃用回転体４０は、例えば、車の表面に直接接触して汚れを落とし、あるいはワックスを塗る部分であり、用途に応じて複数種類が準備されている。図４（Ａ）は、例えば、洗車時に使用される清掃用回転体４０であり、円柱形をした吸水性のスポンジ部４３と、そのスポンジ部４３の中央に連結されて、スポンジ部４３と同軸に保持されたフランジ板４４、及び回転中心軸４５とから構成されている。
ここで、回転中心軸４５は、図４（Ｂ）に示すように、断面円形に形成するのがコスト的に好ましいが、図４（Ｃ）に示すように、断面正六角形に形成することも可能である。また、断面四角形、あるいは五角形に形成することも可能である。
これにより、回転装置本体部２０のチャック２７の締付けリング２７５を緩めて三本の爪２７３を半径方向外側に拡開させた状態で、三本の爪２７３の間に清掃用回転体４０の回転中心軸４５を挿入し、締付けリング２７５を締付けることで、回転中心軸４５を三本の爪２７３で把持することができる。即ち、チャック２７を操作して清掃用回転体４０を回転装置本体部２０の先端に装着したり、取外しが可能になる。したがって、例えば、洗車時に、回転装置本体部２０のグリップ部２４を握って変速スイッチ２５を操作することで、清掃用回転体４０を回転させ、スポンジ部４３で車の汚れを効率的に落とすことが可能になる。
さらに、ワックス用の清掃用回転体４０を別に準備しておけば、洗車後に清掃用回転体４０を付け替えてワックスを塗ることも可能になる。
【００１９】
＜本実施形態に係る清掃装置１０の長所について＞
本実施形態に係る清掃装置１０によると、清掃用回転体４０の回転中心軸４５をチャック２７で把持することにより、清掃用回転体４０を回転装置本体部２０に連結することができる。このため、回転中心軸４５の外径寸法等が異なる清掃用回転体４０であっても回転装置本体部２０に連結できるようになり、多種類の清掃用回転体４０が使用可能となる。
さらに、チャック２７を使用して回転装置本体部２０に清掃用回転体４０を連結できるため、清掃用回転体４０の交換作業が容易になる。
また、チャック２７は、複数個（三本）の爪２７３で清掃用回転体４０の回転中心軸４５を半径方向外側から把持する構成である。このため、清掃用回転体４０の回転中心軸４５の径寸法、のみならず断面形状が異なっていても回転中心軸４５を良好に把持できるようになる。
また、チャック２７の爪２７３は、ステンレス等の錆び難い材料で製作されており、あるいは錆び難い材料によりコーティングされているため、水が掛かるような雰囲気であってもチャック２７の経時的な作動不良を防止できるようになる。
【００２０】
＜変更例＞
ここで、本発明は上記実施形態に限定されるものではなく、本発明の要旨を逸脱しない範囲における変更が可能である。例えば、本実施形態では、洗車用、ワックス塗布用の清掃装置１０について説明したが、清掃用回転体４０のスポンジ部４３を、例えば、ブラシ等に変更することで、汚れが激しい水槽やタンク内の洗浄等に使用することが可能である。
また、用途に応じてスポンジ部４３、ブラシ等の径寸法、軸長寸法を変更することも可能である。
また、本実施形態では、複数個（三本）の爪２７３で清掃用回転体４０の回転中心軸４５を半径方向外側から把持する構成のチャック２７を例示した。しかし、図５に示すように、清掃用回転体４０の回転中心軸４５を取付け孔２９ｈに挿入した状態で、その回転中心軸４５を半径方向外側からボルト２９ｂの先端で押えるようなチャック２９を使用することも可能である。
【符号の説明】
【００２１】
１０・・・・清掃装置
２０・・・・回転装置本体部
２７・・・・チャック
２７３・・・爪
４０・・・・清掃用回転体
４３・・・・スポンジ部
４５・・・・回転中心軸
【図１】
2014050562.tif 000003
【図２】
2014050562.tif 000004
【図３】
2014050562.tif 000005
【図４】
2014050562.tif 000006
【図５】
2014050562.tif 000007
【図６】
2014050562.tif 000008